(57)【要約】【課題】  複数部数印刷時は、ステープルの設定変更などであっても印刷ジョブを削除し再印刷する以外に方法がなかったため不便であった。【解決手段】  複数部数印刷を行うときに、受信した印刷データーから印刷画像データーに変換して１部目の印刷を行うとともに、この印刷画像画像をハードディスクに保存し、２部目以降の印刷はハードディスクに保存した印刷画像データーをハードディスクから読み出して印刷を行あい、かつ１部目の印刷終了時に印刷を一時停止し印刷結果を確認し印刷データーの送り手に印刷再開か印刷のキャンセルをオペレーターに選択させることができる機能を有するプリンターであって、印刷確認後ステープル位置を変更し再印刷する機能を有する。【選択図】図１
2006187998.tif 000002
【特許請求の範囲】
【請求項１】
複数部数印刷を行うときに、受信した印刷データーから印刷画像データーに変換して１部目の印刷を行うとともに、この印刷画像画像をハードディスクに保存し、２部目以降の印刷はハードディスクに保存した印刷画像データをハードディスクから読み出して印刷を行あい、かつ１部目の印刷終了時に印刷を一時停止し印刷結果を確認し印刷データーの送り手に印刷再開か印刷のキャンセルをオペレータに選択させることができる機能を有するプリンターであって、印刷確認後ステープル位置を変更し再印刷する機能を有するプリンターの制御方法。
【請求項２】
複数部数印刷を行うときに、受信した印刷データーから印刷画像データーに変換して１部目の印刷を行うとともに、この印刷画像画像をハードディスクに保存し、２部目以降の印刷はハードディスクに保存した印刷画像データーをハードディスクから読み出して印刷を行あい、かつ１部目の印刷終了時に印刷を一時停止し印刷結果を確認し印刷データーの送り手に印刷再開か印刷のキャンセルをオペレーターに選択させることができる機能を有するプリンターであって、印刷確認後、１部目の印刷結果から複数のステープルに分割し、再印刷する機能を有するプリンターの制御方法。
【請求項３】
ステープルの分割毎にステープルの位置変更可能な請求項１または請求項２に記載のプリンターの制御方法。
【発明の詳細な説明】
【技術分野】
【０００１】
本発明は、複数部数の印刷を行うプリンターの制御方法に関する。
【背景技術】
【０００２】
複数部数印刷（ＭＯＰ印刷）を行う時に１部目の印刷終了時に印刷を一時停止して印刷結果を確認し、印刷データーの送り手に印刷再開か印刷ジョブの削除をオペレーターに選択させることができる機能（以下試し印刷機能という）をプリンターに付加することで、意図しない印刷結果の場合は複数部数印刷する前に印刷ジョブの削除を選んで印刷をやり直すことが可能となっていた。
【０００３】
【特許文献１】特許公開２００１−３０１２４３号公報
【０００４】
【特許文献２】特許公開２００３−１８２１６４（ＭＯＰに関する技術）
【特許文献３】特許公開２０００−１４８４１８（ＭＯＰに関する技術）
【非特許文献１】ＤＤＰ７０ユーザーズガイド  Ｎ９０５２４５  Ｒｅｖ．１９                １．２          プリンターの特徴（ＭＯＰ）  １−２ページ                ２．４．３      環境設定・システム・試し印刷  ２−２１ページ                ５．４．２．５  構成（７）その他・試し印刷  ５−１２ページ
【発明の開示】
【発明が解決しようとする課題】
【０００５】
試し印刷機能は、ステープルの変更などであっても印刷ジョブを削除し再印刷する以外に方法がなかったため不便であった。
【課題を解決するための手段】
【０００６】
こ２部目以降の印刷の継続かキャンセルかを選ぶオペレーターコントロールパネルのメニュー画面にステープル修正のメニューを追加し、修正メニュー画面においてステープル位置や枚数を変更することにより、ページ管理データーに格納されているステープル情報を変更する契機を作る。
【発明の効果】
【０００７】
ページ管理データーに格納されているステープル情報を変更するだけで印刷再開できるので、印刷をやり直すためにプリンタードライバ等の設定を変え印刷ジョブの再送を行う手間及び時間を省くことが可能である。また、印刷枚数がステープルの制限値を超えていても、分割してステープルすることが可能なので印刷物の作成効率が良くなる。
【発明を実施するための最良の形態】
【０００８】
本発明は、印刷画像データーを管理するページ管理データーにステープルに関する情報が入っていることに着目し、図４に示す画面を試し印刷の確認画面としてオペレーターコントロールパネルに表示することでユーザーにステープルの設定を変更する手段を与えることで実現する。
【実施例１】
【０００９】
試し印刷機能のメニューとして図４のサンプル印刷メニューを表示し、図４のサンプル印刷メニューからステープル修正を選び、図１のステープル位置修正メニューへ移動出来るようにすることで実現する。
【００１０】
図１のメニュー画面に入ると現在のステープルの状態を示すボタンが反転されて表示されており、変更したいステープル位置を示すボタンを押すと反転表示が選択したボタンに移る。選択した内容が正しければ、設定終了のボタンを押すことにより、選択したステープル情報がページ管理データー中のステープル情報へ書き込まれ、図３のサンプル印刷メニューへ移行する。図４のサンプル印刷メニューで、継続を選択することで、ジョブの１部目から印刷として印刷が再開される。
【実施例２】
【００１１】
試し印刷機能のメニューとして図４のサンプル印刷メニューを表示し、図４のサンプル印刷メニューからステープル修正を選び、図２のステープル設定メニューへ移動出来るようにすることで実現する。
【００１２】
図２のメニューに入ると、現在設定されているステープルの分割開始ページがステープル分割情報の仮登録情報テーブルに設定され、画面上にその内容が表示される。この時、分割が設定されていない場合は、ステープルに先頭ページは１ページだけなので１だけが表示される。ステープルの分割はテンキーでステープル分割の先頭頁を入力した後分割頁設定を押すことで、ステープル分割の先頭頁がステープル分割情報の仮登録情報テーブルに登録され、画面上に分割設定されている先頭頁の表示に追加される。また、ステープル分割の先頭頁を入力した後分割設定解除を押すことで設定されているステープル分割の先頭頁がステープル分割情報の仮登録情報から削除される。ステープルの分割設定終了後、設定終了ボタンを押すことで設定したステープル分割情報がページ管理データー中のステープル情報へ書き込まれ、図３のサンプル印刷メニューへ移り、継続を選択することで、ジョブの１部目から印刷として印刷が再開される。
【実施例３】
【００１３】
試し印刷機能のメニューとして図４のサンプル印刷メニューを表示し、ステープル修正を選ぶことで、図３のステープル修正メニューを表示し、図１のステープル位置の修正メニューへの移動と図２のステープルの分割設定メニューへの移動を可能とすることで実現する。
【００１４】
ステープル位置の修正は、図４のサンプル印刷メニューからステープル修正を選び、図３のステープル修正メニューで位置修正を選ぶことにより、図１のステープル位置修正メニューで行う。図１のメニュー画面に入ると現在のステープルの状態を示すボタンが反転されて表示されており、変更したいステープル位置を示すボタンを押すと反転表示が選択したボタンに移る。選択した内容が正しければ、設定終了のボタンを押すことにより、図３のステープル修正メニューへ移行する。この時、選択したステープル情報をページ管理データ中のステープル情報へ書き込む処理の準備が完了している。図３のステープル修正メニューで設定終了を選択することで、図１のステープル位置修正メニューで選択したステープル情報がページ管理データー中のステープル情報へ書き込まれ、図４のサンプル印刷メニューへ移り、再開を選択することで、ジョブの１部目から印刷として印刷が再開される。
【００１５】
ステープルの分割設定は、図４のサンプル印刷メニューからステープル修正を選び、図３のステープル修正メニューでステープル設定メニューを選ぶことにより、図２のステープル設定メニューで設定する。ステープルの分割はテンキーにステープル分割の先頭頁を入力した後分割頁設定を押すことで、ステープル分割の先頭頁がステープル分割情報の仮登録情報に登録され、画面上に分割設定されている先頭頁の表示に追加される。また、ステープル分割の先頭頁を入力した後分割設定解除を押すことで設定されているステープル分割の先頭頁がステープル分割情報の仮登録情報から削除される。ステープルの分割設定終了後、設定終了ボタンを押すことでステープル分割情報の仮登録情報をページ管理データへ登録する準備をし、図３のステープル修正メニューへ移動する。図３のステープル修正メニューで設定終了を選択することで、図２のステープル設定メニューで設定したステープル分割情報がページ管理データー中のステープル情報へ書き込まれ、図４のサンプル印刷メニューへ移り、再開を選択することで、ジョブの１部目から印刷として印刷が再開される。
【実施例４】
【００１６】
実施例２及び実施例３において、図２の後分割頁設定を押すことにより、図１のステープル位置修正画面に移動し、分割設定部分のステープル位置を変更できるようにする。このメニューで設定されたステープル位置はステープル分割情報の仮登録情報テーブルに登録され、図４に戻るときにステープル分割情報・ステープル位置情報がページ管理データ中のステープル情報へ書き込まれ、分割毎にステープル位置を変更できる。図４のサンプル印刷メニューへ移り、再開を選択することで、ジョブの１部目から印刷として印刷が再開される。
【図面の簡単な説明】
【００１７】
【図１】ステープル位置修正時に表示するメニュー。
【図２】ステープルの分割変更時に表示するメニュー。
【図３】ステープル位置修正及びステープルの分割変更を実現するためのメニュー。
【図４】サンプル印刷メニュー。
【図１】
2006187998.tif 000003
【図２】
2006187998.tif 000004
【図３】
2006187998.tif 000005
【図４】
2006187998.tif 000006